(57)【要約】【課題】格別の技能を要することなく爪に装着でき、また、日常生活の邪魔にならない態様で装着可能で、かつ、矯正効果を保った状態でのその装着状態を安定的に維持可能な巻き爪の矯正具の提供。【解決手段】バネ状をなしそのバネ両端にそれぞれ矯正に先立って予め爪Ｎの側縁部Ｎａに形成させた凹所Ｎｄへの引っかけ部３を備えると共に、この引っかけ部３間に亘るバネ主体部２を、これを構成する線材１の中心線がこのバネ主体部２の長さ方向ｘに亘る各位置においてそれぞれ仮想の一つの平面ｙに略含まれるようにしてこの線材１を波状に成形させて、構成させてなる。【選択図】図４
2010155059.tif 000002
【特許請求の範囲】
【請求項１】
バネ両端にそれぞれ爪の側縁部への引っかけ部を備えると共に、
この引っかけ部間に亘るバネ主体部を、これを構成する線材の中心線がこのバネ主体部の長さ方向に亘る各位置においてそれぞれ仮想の一つの平面に略含まれるようにしてこの線材を波状に成形させて、構成させてなることを特徴とするバネ状巻き爪矯正具。
【請求項２】
バネ両端にそれぞれ爪の側縁部への引っかけ部を備えると共に、
この引っかけ部間に亘るバネ主体部を、これを構成する線材にループ状部をこのバネ主体部の長さ方向において複数箇所に形成させ、
かつ、各ループ状部をそれぞれ、仮想の一つの平面に対し、そのループの巻回中心軸を交叉させるように形成させて、構成させてなることを特徴とするバネ状巻き爪矯正具。
【請求項３】
請求項１又は請求項２に記載の巻き爪矯正具であって、前記仮想の一つの平面から離れる向きに線材の端末を曲げて引っかけ部を形成させてなることを特徴とするバネ状巻き爪矯正具。
【請求項４】
線材の表面を、メッキ又は塗装により、意匠面とさせていることを特徴とする請求項１〜請求項３のいずれか１項に記載のバネ状巻き爪矯正具。
【発明の詳細な説明】
【技術分野】
【０００１】
この発明は、巻き爪となっている爪に取り付けられて、この爪を正常な状態に矯正するために用いられる矯正具の改良に関する。
【背景技術】
【０００２】
巻き爪の治療には、手術によるものと、矯正によるものがあるが、近年では矯正によるものが主流になっている。
【０００３】
この矯正には、代表的には、一本のワイヤーを利用したもの、二本のワイヤーを利用したもの、樹脂板を利用したものがある。
【０００４】
一本のワイヤーを利用したものは、爪の左右二箇所に小さな孔を開けると共に、一本のワイヤーの両端をそれぞれ対応する孔に入れ込み、このように爪上に装着されて湾曲されたワイヤーの復元力により巻き爪の矯正をなすようにしている。
【０００５】
二本のワイヤーを利用したものは、爪の右側の側縁部に一端を引っかけられて爪の中央側に伸びる一方のワイヤーの他端と、爪の左側の側縁部に一端を引っかけられて爪の中央側に伸びる他方のワイヤーの他端とを、互いに近づく向きに引っ張って巻き爪の矯正をなすようにしている。（特許文献１参照）
【０００６】
しかるに、この二つの手法にあっては、ワイヤーの装着などに格別の技能を要するところであり、かかる手法を利用しての巻き爪矯正は専門医などに委ねるほかなかった。
【０００７】
また、樹脂板を利用したものは、爪上に樹脂板を接着剤により貼り付けてこの樹脂板の平らに戻ろうとする復元力で巻き爪の矯正をなすものであるが、樹脂板や接着剤は入浴などの日常生活において劣化し易いため、通例４〜６月程度必要とされる完治までの期間に何回かの樹脂板の交換を必要とする場合が少なくない。
【先行技術文献】
【特許文献】
【０００８】
【特許文献１】特開２００１−２７６１０４号公報
【発明の概要】
【発明が解決しようとする課題】
【０００９】
この発明が解決しようとする主たる問題点は、格別の技能を要することなく爪に装着でき、また、日常生活の邪魔にならない態様で装着可能で、かつ、矯正効果を保った状態でのその装着状態を安定的に維持可能な巻き爪の矯正具を提供することにある。
【課題を解決するための手段】
【００１０】
前記課題を達成するために、この発明にあっては、第一の観点から、巻き爪矯正具を、バネ状をなし、そのバネ両端にそれぞれ爪の側縁部への引っかけ部を備えると共に、
この引っかけ部間に亘るバネ主体部を、これを構成する線材の中心線がこのバネ主体部の長さ方向に亘る各位置においてそれぞれ仮想の一つの平面に略含まれるようにしてこの線材を波状に成形させて、構成させてなるものとした。
【００１１】
かかる巻き爪矯正具にあっては、爪の左右の側縁部に対応する引っかけ部を引っかけて爪上に矯正具を装着することによりそのバネ主体部は弾性的に引き延ばされるようにでき、こうなったバネ主体部は一対の引っかけ部を近接させる向きの付勢力を爪に継続的に作用させる。これにより巻き爪の矯正をなすことが可能とされる。かかる矯正具は、そのバネ主体部をこれを構成する線材の中心線がこのバネ主体部の長さ方向に亘る各位置においてそれぞれ仮想の一つの平面に略含まれるようにしてなる平面状をなすことから、この線材の直径以上の寸法を爪上に必要とせずに爪上に爪の湾曲に沿った状態で装着することができ、矯正具の装着状態においてできるだけ矯正具が邪魔にならないようにすることができる。
【００１２】
前記課題を達成するために、この発明にあっては、第二の観点から、巻き爪矯正具を、バネ状をなし、そのバネ両端にそれぞれ爪の側縁部への引っかけ部を備えると共に、
この引っかけ部間に亘るバネ主体部を、これを構成する線材にループ状部をこのバネ主体部の長さ方向において複数箇所に形成させ、
かつ、各ループ状部をそれぞれ、仮想の一つの平面に対し、そのループの巻回中心軸を交叉させるように形成させて、構成させてなるものとした。
【００１３】
かかる巻き爪矯正具にあっても、爪の左右の側縁部に対応する引っかけ部を引っかけて爪上に矯正具を装着することによりそのバネ主体部は弾性的に引き延ばされるようにでき、こうなったバネ主体部は一対の引っかけ部を近接させる向きの付勢力を爪に継続的に作用させる。これにより巻き爪の矯正をなすことが可能とされる。かかる矯正具は、そのバネ主体部をこれを構成する線材に仮想の一つの平面に対しループの巻回中心軸を交叉させるように形成された複数のループ状部を形成させることで構成しており、かかるバネ主体部も平面的に構成されることから、この線材の直径の２倍以上の寸法を爪上に必要とせずに爪上に爪の湾曲に沿った状態で装着することができ、矯正具の装着状態においてできるだけ矯正具が邪魔にならないようにすることができる。また、バネ主体部は単一の線材に複数のループ状部を形成させてなることから、ヘタリが生じ難く、長期に亘って所用の付勢力を爪に作用させ続ける。
【００１４】
前記引っかけ部を、前記仮想の一つの平面から離れる向きに線材の端末を曲げて形成させておけば、爪上にかかる引っかけ部を爪の側縁部に引っかけて装着される矯正具を単一の線材から合理的に成形させることができる。また、前記線材に、メッキ又は塗装を施して、この線材の表面に意匠面を形成させておけば、矯正具を爪上に取り付けた際の違和感などを払拭などさせることができる。
【発明の効果】
【００１５】
この発明にかかるバネ状巻き爪矯正具によれば、そのバネ両端の引っかけ部を爪の側縁部に引っかけることにより格別の技能を要することなく爪に装着できる。また、矯正具のバネ主体部は平面的に構成されることから日常生活の邪魔にならない態様で爪に装着することができ、さらに、矯正効果を保った状態でのその装着状態を長期に亘り安定的に維持させることができる。
【図面の簡単な説明】
【００１６】
【図１】図１は第一例の矯正具の平面図（（ａ）図）、側面図（（ｂ）図）及び（ａ）図におけるＡ−Ａ線断面図（（ｃ）図）である。
【図２】図２は第一例の矯正具を用いた矯正に先立って爪に凹所を形成させた爪の平面図である。
【図３】図３は第一例の矯正具の装着過程を示した説明図（指先側から見た図）である。
【図４】図４は第一例の矯正具の装着状態を示した平面図（（ａ）図）、指先側から見た側面図（（ｂ）図）及び側面図（（ｃ）図）である。
【図５】図５は第二例の矯正具の平面図である。
【図６】図６は図５におけるＢ−Ｂ線断面図である。
【図７】図７は第三例の矯正具の装着過程を示した説明図である。
【図８】図８は第三例の矯正具の平面図である。
【図９】図９は図８におけるＣ−Ｃ線断面図である。
【発明を実施するための形態】
【００１７】
以下、図１〜図９に基づいて、この発明の典型的な実施の形態について、説明する。なお、図１〜図４はこの発明を適用して構成された矯正具Ｓの第一例を、図５〜図７はその第二例を、図８及び図９はその第三例を、それぞれ示している。
【００１８】
この実施の形態にかかる矯正具Ｓは、巻き爪となっている爪Ｎに取り付けられて、この爪Ｎを正常な状態に矯正するために用いられるものである。
【００１９】
かかる矯正具Ｓは、単一の線材１、つまり一本の金属製の線状体をバネ性を持つように成形させて構成されている。そして、かかる矯正具Ｓは、爪Ｎの両側縁部Ｎａ、Ｎａ間に亘るようにして爪Ｎ上に装着することで、かかるバネ性によって巻き爪を矯正するように機能される。なお、本明細書において、爪Ｎの側縁部Ｎａは、爪先Ｎｂと爪根Ｎｃとの間に亘る爪Ｎの伸びる方向に略沿った縁部を意味するものとして使用している。
【００２０】
かかる矯正具Ｓは、前記バネ性を生じるバネ主体部２と、爪Ｎの側縁部Ｎａに対する引っかけ部３とを備えている。
【００２１】
かかる矯正具Ｓを構成する線材１としては、ＳＵＳ３１６などの耐食性に優れたものを用いることが好ましい。爪Ｎへの装着時に矯正具Ｓが靴を履くときの邪魔になるなど日常生活の邪魔にならないようにする観点からは、かかる線材１の直径は０．２ｍｍ〜０．３ｍｍの範囲のものとすることが最適である。また、かかる線材１の前記成形は、ワイヤーホーミングにより容易になすことができる。また、かかる線材１に、メッキ又は塗装を施して、この線材１の表面に意匠面を形成させておけば、矯正具Ｓを爪Ｎ上に取り付けた際の違和感などを払拭などさせることができる。
【００２２】
かかる矯正具Ｓのバネ両端間の寸法、より具体的には、後述する一対の鈎状をなす引っかけ部３の背３ｂの内側間の寸法は、これを取り付ける爪Ｎの左右の側縁部Ｎａ間の寸法よりも小さく設定される。これにより、後述のように爪の左右の側縁部Ｎａにそれぞれ対応する引っかけ部３を引っかけて爪Ｎ上に装着された矯正具Ｓのバネ主体部２は弾性的に引き延ばされ、一対の引っかけ部３、３を近接させる向きの付勢力を爪Ｎに継続的に作用させる。これにより巻き爪の矯正をなすことが可能とされる。かかる付勢力の調整は矯正具Ｓを構成する線材１の剛性や、バネ主体部２の形状を調整することで調整できる。好ましくは、かかる付勢力は、１００ｇｆ〜３００ｇｆの範囲となるようにしておく。付勢力が１００ｇｆ未満であると矯正の効果が早期に得られ難く、一方、３００ｇｆ超であると装着者に痛みや強い違和感を感じさせる傾向が認められる。
【００２３】
（第一例）
前記第一例にかかるバネ主体部２は、これを構成する線材１の中心線がこのバネ主体部２の長さ方向ｘに亘る各位置においてそれぞれ仮想の一つの平面ｙに略含まれるようにしてこの線材１を波状に成形させることで、構成されている。（図１（ｃ））
【００２４】
図示の例では、バネ主体部２は、かかる矯正具Ｓのバネ両端にそれぞれ備えられた引っかけ部３間を結ぶ仮想の直線ｚを挟んだ一方側に突き出す山状部２ａと、この直線を挟んだ他方側に突き出す山状部２ａとを、この直線に沿った方向において交互に備えるように前記線材１を成形させてなる。かかる一方側の山状部２ａの前記仮想の直線ｚからの突きだし寸法と、かかる他方側の山状部２ａのこの仮想の直線ｚからの突きだし寸法とは、略等しくしてある。各山状部２ａの頂部２ｂはいずれもアール状をなすように成形されている。
【００２５】
一方、かかる矯正具Ｓのバネ両端にそれぞれ備えられた引っかけ部３はいずれも、前記仮想の一つの平面ｙを挟んだ一方側に向けて、この平面ｙから離れる向きに前記線材１の端末１ａを曲げることで、構成されている。これにより、この実施の形態にあっては、爪Ｎ上にかかる引っかけ部３を後述する凹所Ｎｄに引っかけて装着される矯正具Ｓを単一の線材１から合理的に成形できるようになっている。
【００２６】
図示の例では、一対の引っかけ部３、３はそれぞれ、鈎端３ａをバネ主体部２側に向けるようにして前記線材１の端末１ａを鈎状に湾曲させてなり、この引っかけ部３の鈎端と反対の背３ｂ側はアール状をなしている。
【００２７】
かかる矯正具Ｓは、そのバネ主体部２をこれを構成する線材１の中心線がこのバネ主体部２の長さ方向ｘに亘る各位置においてそれぞれ仮想の一つの平面ｙに略含まれるようにしてなる平面状をなすことから、この線材１の直径以上の寸法を爪Ｎ上に必要とせずに爪Ｎ上に爪Ｎの湾曲に沿った状態で装着することができ、矯正具Ｓの装着状態においてできるだけ矯正具Ｓが邪魔にならないようにすることができる。
【００２８】
図示の例では特に、バネ主体部２はその山状部２ａの頂部２ｂをアール状にし、また、引っかけ部３の背３ｂ側もアール状をなすことから、爪Ｎへの装着状態において、この矯正具Ｓが日常生活においてより邪魔になり難くなっている。すなわち、矯正具Ｓの装着状態において、矯正具Ｓが靴下やストッキングなどに引っかかるような事態をできるだけ生じさせないようにしている。
【００２９】
（第二例）
前記第二例にかかるバネ主体部２は、これを構成する線材１に複数のループ状部２ｃをこのバネ主体部の長さ方向において隣り合うループ状部２ｃが上下に重なり合わないように、かつ、各ループ状部２ｃをそれぞれ、仮想の一つの平面ｙに対し、そのループの巻回中心軸ａｘを交叉させるように形成させることで、構成されている。（図５）
【００３０】
図示の例では、バネ主体部２は、かかる矯正具Ｓのバネ両端にそれぞれ備えられた引っかけ部３間を結ぶ仮想の直線ｚを挟んだ一方側と、他方側とにおいてそれぞれ、単一の線材１を複数箇所で湾曲させて、このバネ主体部２に複数のループ状部２ｃを形成させてなる。各ループ状部２ｃはいずれも、前記仮想の直線ｚを含む仮想の一つの平面ｙに対しその巻回中心軸ａｘを直角に近い向きで交叉させている。また、各ループ状部２ｃの巻回中心軸ａｘはそれぞれ、他のループ状部２ｃの巻回中心軸ａｘに略平行となるように、各ループ状部２ｃは形成されている。また、図示の例では、平面視の状態において、前記仮想の直線ｚ上、又は、この仮想の直線ｚを挟んだ一方側においてのみ前記線材１は上下に重なり合っており、この重なり合った箇所１ｂと前記仮想の直線ｚを挟んだ他方側に位置される湾曲箇所との間がループ状部２ｃとなっている。また、かかるバネ主体部２の幅はその長さ方向ｘの各位置において一定になっている。
【００３１】
一方、かかる矯正具Ｓのバネ両端にそれぞれ備えられた引っかけ部３はいずれも、前記仮想の一つの平面ｙを挟んだ一方側に向けて、この平面ｙから離れる向きに前記線材１１の端末１ａを曲げることで、構成されている。これにより、この実施の形態にあっては、爪Ｎ上にかかる引っかけ部３を爪Ｎの側縁部Ｎａに引っかけて装着される矯正具Ｓを単一の線材１から合理的に成形できるようになっている。
【００３２】
図示の例では、一対の引っかけ部３、３はそれぞれ、鈎端３ａをバネ主体部２２側に向けるようにして前記線材１の端末１ａを鈎状に湾曲させてなり、この引っかけ部３の鈎端と反対の背３ｂ側はアール状をなしている。
【００３３】
かかる巻き爪矯正具Ｓにあっても、爪Ｎの左右の側縁部Ｎａ、Ｎａに対応する引っかけ部３を引っかけて爪Ｎ上に矯正具Ｓを装着することによりそのバネ主体部２は弾性的に引き延ばされるようにでき、こうなったバネ主体部２は一対の引っかけ部３を近接させる向きの付勢力を爪Ｎに継続的に作用させる。これにより巻き爪の矯正をなすことが可能とされる。かかる矯正具Ｓは、そのバネ主体部２をこれを構成する線材１に仮想の一つの平面ｙに対しループの巻回中心軸ａｘを交叉させるように形成された複数のループ状部２ｃを形成させることで構成しており、かかるバネ主体部２も平面的に構成されることから、この線材１の直径の２倍以上の寸法を爪Ｎ上に必要とせずに爪Ｎ上に爪Ｎの湾曲に沿った状態で装着することができ、矯正具Ｓの装着状態においてできるだけ矯正具Ｓが邪魔にならないようにすることができる。また、バネ主体部２は単一の線材１に複数のループ状部２ｃを形成させてなることから、ヘタリが生じ難く、長期に亘って所用の付勢力を爪Ｎに作用させ続ける。
【００３４】
図示の例では特に、バネ主体部２の前記ループ状部２ｃは単一の線材１を湾曲させることで構成されており、また、引っかけ部３の背３ｂ側もアール状をなすことから、爪Ｎへの装着状態において、この矯正具Ｓが日常生活においてより邪魔になり難くなっている。すなわち、矯正具Ｓの装着状態において、矯正具Ｓが靴下やストッキングなどに引っかかるような事態をできるだけ生じさせないようにしている。
【００３５】
（第三例）
前記第三例にかかるバネ主体部２は、これを構成する線材１に複数のループ状部２ｃをこのバネ主体部２の長さ方向において隣り合うループ状部２ｃとの間に間隔を開けて形成させ、かつ、各ループ状部２ｃをそれぞれ、仮想の一つの平面ｙに対し、そのループの巻回中心軸ａｘを交叉させるように形成させることで、構成されている。（図８）
【００３６】
図示の例では、バネ主体部２は、かかる矯正具Ｓのバネ両端にそれぞれ備えられた引っかけ部３間を結ぶ仮想の直線ｚを挟んだ一方側と、他方側とにおいてそれぞれ、単一の線材１を複数箇所で湾曲させて、このバネ主体部２に複数のループ状部２ｃを形成させてなる。各ループ状部２ｃはいずれも、前記仮想の直線ｚを含む仮想の一つの平面ｙに対しその巻回中心軸ａｘを直角に近い向きで交叉させている。また、各ループ状部２ｃの巻回中心軸ａｘはそれぞれ、他のループ状部２ｃの巻回中心軸ａｘに略平行となるように、各ループ状部２ｃは形成されている。また、図示の例では、平面視の状態において、前記仮想の直線ｚを挟んだ両側においてそれぞれ前記線材１は上下に重なり合っており、この両側にそれぞれ重なり合った箇所１ｂを配してループ状部２ｃが形成されている。また、かかるバネ主体部２の幅はその長さ方向の各位置において一定になっている。
【００３７】
一方、かかる矯正具Ｓのバネ両端にそれぞれ備えられた引っかけ部３はいずれも、前記仮想の一つの平面ｙを挟んだ一方側に向けて、この平面ｙから離れる向きに前記線材１の端末１ａを曲げることで、構成されている。これにより、この実施の形態にあっては、爪Ｎ上にかかる引っかけ部３を爪Ｎの側縁部Ｎａに引っかけて装着される矯正具Ｓを単一の線材１から合理的に成形できるようになっている。
【００３８】
図示の例では、一対の引っかけ部３、３はそれぞれ、鈎端３ａをバネ主体部２側に向けるようにして前記線材１の端末１ａを鈎状に湾曲させてなり、この引っかけ部３の鈎端と反対の背３ｂ側はアール状をなしている。
【００３９】
かかる巻き爪矯正具Ｓにあっても、爪の左右の側縁部に対応する引っかけ部３を引っかけて爪上に矯正具Ｓを装着することによりそのバネ主体部２は弾性的に引き延ばされるようにでき、こうなったバネ主体部２は一対の引っかけ部３を近接させる向きの付勢力を爪Ｎに継続的に作用させる。これにより巻き爪の矯正をなすことが可能とされる。かかる矯正具Ｓは、そのバネ主体部２をこれを構成する線材１に仮想の一つの平面ｙに対しループの巻回中心軸ａｘを交叉させるように形成された複数のループ状部２ｃを形成させることで構成しており、かかるバネ主体部２も平面的に構成されることから、この線材１の直径の２倍以上の寸法を爪Ｎ上に必要とせずに爪Ｎ上に爪Ｎの湾曲に沿った状態で装着することができ、矯正具Ｓの装着状態においてできるだけ矯正具Ｓが邪魔にならないようにすることができる。また、バネ主体部２は単一の線材１に複数のループ状部２ｃを形成させてなることから、ヘタリが生じ難く、長期に亘って所用の付勢力を爪に作用させ続ける。
【００４０】
図示の例では特に、バネ主体部２の前記ループ状部２ｃは単一の線材１を湾曲させることで構成されており、また、引っかけ部３の背３ｂ側もアール状をなすことから、爪Ｎへの装着状態において、この矯正具Ｓが日常生活においてより邪魔になり難くなっている。すなわち、矯正具Ｓの装着状態において、矯正具Ｓが靴下やストッキングなどに引っかかるような事態をできるだけ生じさせないようにしている。
【００４１】
（使用方法）
かかる矯正具Ｓは、図７に示されるように、爪Ｎの左右側縁部Ｎａ、Ｎａの一方に一方の引っかけ部３を引っかけた後に、爪先Ｎｂ側に引っかけ位置させた他方の引っかけ部３をバネ主体部２を引き延ばしながらこの爪Ｎの左右側縁部Ｎａ、Ｎａの他方側に移動させ、（図７（ａ）から（ｂ））この他方側に引っかけるようにすることで爪Ｎに容易に装着できる。（図７（ｃ））
【００４２】
また、かかる矯正具Ｓは、予め爪Ｎの左右の側縁部Ｎａにそれぞれ、前記引っかけ部３を引っかけるための凹所Ｎｄを形成させることでもなすことができる。（図２）この凹所Ｎｄは、爪切りの角を利用したり、棒状あるいは板状のやすりを利用することで、容易に形成させることができる。この凹所Ｎｄは、爪Ｎにおける指先Ｆ以上に伸びた箇所に形成する。また、矯正具Ｓを構成する線材１の直径を０．２ｍｍ〜０．３ｍｍとする場合には、凹所Ｎｄの深さは０．４ｍｍ〜０．６ｍｍとするのが適当である。そして、爪Ｎの左右いずれか一方の側に形成された凹所Ｎｄに矯正具Ｓの一対の引っかけ部３、３の一方を引っかけた後、（図３（ａ））、指の腹でバネ主体部２を爪Ｎ上に押さえつけながら引っかけ部３の他方が他方側の凹所Ｎｄに至る位置までバネ主体部２を引き延ばし、（図３（ｂ））この引っかけ部３の他方をこの他方側の凹所Ｎｄに引っかける。（図３（ｃ））このようにしても矯正具Ｓは爪に装着することができる。
【符号の説明】
【００４３】
Ｎ  爪
Ｎａ  側縁部
Ｎｄ  凹所
ｘ  長さ方向
ｙ  平面
１  線材
２  バネ主体部
３  引っかけ部
【図１】
2010155059.tif 000003
【図２】
2010155059.tif 000004
【図３】
2010155059.tif 000005
【図４】
2010155059.tif 000006
【図５】
2010155059.tif 000007
【図６】
2010155059.tif 000008
【図７】
2010155059.tif 000009
【図８】
2010155059.tif 000010
【図９】
2010155059.tif 000011